(57)【要約】【課題】水平方向に広いスペースを必要とすることなく、人体を立位状態で支持することができる人体収納用構造体を提供する。【解決手段】人体収納用構造体１は、人体を収納する収納空間２を備え、収納空間２に収納した人体を立位状態で支持するように構成されている。人体収納用構造体１は、収納空間２に収納された人体の重量の少なくとも一部を下方から支持するように人体の臀部を支持する第一支持部１０と、収納空間２に収納された人体の上半身の水平方向における移動を阻止するように上半身を支持する第二支持部２０と、収納空間２に収納された人体の膝部が前方に移動することを阻止するように膝部を支持する第三支持部３０と、を備える。【選択図】図１
2020099444.tif 000002
【特許請求の範囲】
【請求項１】
人体を収納する収納空間を備え、前記収納空間に収納した前記人体を立位状態で支持するように構成されている人体収納用構造体であって、
前記収納空間に収納された前記人体の重量の少なくとも一部を下方から支持するように前記人体の臀部を支持する第一支持部と、
前記収納空間に収納された前記人体の上半身の水平方向における移動を阻止するように前記上半身を支持する第二支持部と、
前記収納空間に収納された前記人体の膝部が前方に移動することを阻止するように前記膝部を支持する第三支持部と、
を備える、人体収納用構造体。
【請求項２】
前記第二支持部は、前記収納空間に収納された前記人体の上半身後方部を支持する後方支持部を有する、請求項１に記載の人体収納用構造体。
【請求項３】
前記第二支持部は、前記収納空間に収納された前記人体の上半身側方部を支持する側方支持部を有する、請求項１又は２に記載の人体収納用構造体。
【請求項４】
前記第二支持部は、前記収納空間に収納された前記人体の上半身前方部を支持する前方支持部を有する、請求項１から３の何れか一項に記載の人体収納用構造体。
【請求項５】
前記収納空間に収納された前記人体の足裏を支持する第四支持部を備える、請求項１から４の何れか一項に記載の人体収納用構造体。
【請求項６】
人体を収納する収納空間を備え、前記収納空間に収納した前記人体を立位状態で支持するように構成されている、睡眠用筐体。
【発明の詳細な説明】
【技術分野】
【０００１】
本発明は、人体収納用構造体及び睡眠用筐体に関する。
【背景技術】
【０００２】
従来より、限られたスペースでの休憩や睡眠を実現させるための休憩・睡眠用のカプセルが種々提案されている。例えば、固定本体の内部に収納可能な可動本体を有する伸縮可能なカプセル本体と、このカプセル本体の内部に折り畳み収納可能に設けられたベッドと、を備える休憩用カプセルが提案されている（特許文献１参照）。また、カプセル内の各吹出口から吹き出す空気の温度を調整することにより、カプセル内の温度分布が頭寒足熱となるようにした睡眠用カプセルも提案されている（特許文献２参照）。
【先行技術文献】
【特許文献】
【０００３】
【特許文献１】特開２００２−１３３０４号公報
【特許文献２】特開２００２−３５７３５１号公報
【発明の概要】
【発明が解決しようとする課題】
【０００４】
特許文献１及び２に記載されたような従来の休憩・睡眠用のカプセルは、限られたスペースでの休憩や睡眠を実現させるためのものであるが、いずれも人体を横臥状態にして収納するものであるため、水平方向に比較的広い（少なくとも１ｍ×２ｍ程度の）スペースが必要になる。従って、例えば容積の限られたオフィス空間内にこのような従来のカプセルを多数設置することは困難であり、気軽に休憩や睡眠をとりたいというオフィスワーカーの要請に応えることはできなかった。
【０００５】
本発明は、かかる事情に鑑みてなされたものであり、水平方向に広いスペースを必要とすることなく、人体を立位状態で支持することができる人体収納用構造体を提供することを目的とする。
【課題を解決するための手段】
【０００６】
前記目的を達成するため、本発明に係る人体収納用構造体は、人体を収納する収納空間を備え、収納空間に収納した人体を立位状態で支持するように構成されているものであって、収納空間に収納された人体の重量の少なくとも一部を下方から支持するように臀部を支持する第一支持部と、収納空間に収納された人体の上半身の水平方向における移動を阻止するように上半身を支持する第二支持部と、収納空間に収納された人体の膝部が前方に移動することを阻止するように膝部を支持する第三支持部と、を備えるものである。
【０００７】
かかる構成を採用すると、収納空間に収納した人体の臀部と上半身と膝部とを支持して、人体の立位状態を維持することができる。従って、人間は、本構造体の収納空間内において立位状態で休息や睡眠をとることが可能となる。ここで、「立位状態」とは、人体が鉛直方向に延在する状態であって、頭部が脚部よりも鉛直上方に位置する状態を意味している。「立位状態」には、人体の重量が脚部によって支持されていない状態（すなわち、人体の足裏が構造体の底部に着いていない状態）も含まれる。本構造体は、このように立位状態で人体を支持することができることから、一般的な寝具のように横臥状態で人体を支持する構造と比較すると、水平方向における寸法を格段に縮小することが可能となる。
【０００８】
本発明に係る人体収納用構造体において、収納空間に収納された人体の上半身後方部を支持する後方支持部を有する第二支持部を採用することができる。
【０００９】
かかる構成を採用すると、収納空間に収納された人体の上半身後方部（例えば背部や後頭部）を支持して立位状態を安定させることが可能となる。
【００１０】
本発明に係る人体収納用構造体において、収納空間に収納された人体の上半身側方部を支持する側方支持部を有する第二支持部を採用することができる。
【００１１】
かかる構成を採用すると、収納空間に収納された人体の上半身側方部（例えば肩部や側頭部）を支持して立位状態を安定させることが可能となる。
【００１２】
本発明に係る人体収納用構造体において、収納空間に収納された人体の上半身前方部を支持する前方支持部を有する第二支持部を採用することができる。
【００１３】
かかる構成を採用すると、収納空間に収納された人体の上半身前方部（例えば腕部や前頭部）を支持して立位状態を安定させることが可能となる。
【００１４】
本発明に係る人体収納用構造体において、収納空間に収納された人体の足裏を支持する第四支持部を備えることができる。
【００１５】
かかる構成を採用すると、収納空間に収納された人体の足裏を支持して立位状態を安定させることが可能となる。
【００１６】
また、本発明に係る睡眠用筐体は、人体を収納する収納空間を備え、収納空間に収納した人体を立位状態で支持するように構成されているものである。
【００１７】
かかる構成を採用すると、収納空間に収納した人体を立位状態で支持することができる。従って、人間は、本筐体の収納空間内において立位状態で睡眠をとることが可能となる。
【発明の効果】
【００１８】
本発明によれば、水平方向に広いスペースを必要とすることなく、人体を立位状態で支持することができる人体収納用構造体を提供することが可能となる。
【図面の簡単な説明】
【００１９】
【図１】本発明の第一実施形態に係る人体収納用構造体を第一支持部側から見た場合の斜視図（透視図）である。
【図２】本発明の第一実施形態に係る人体収納用構造体を第二支持部及び第三支持部側から見た場合の斜視図（透視図）である。
【図３】本発明の第二実施形態に係る人体収納用構造体（開扉状態）の側面図である。
【図４】本発明の第三実施形態に係る人体収納用構造体（閉扉状態）の側面図である。
【図５】本発明の第三実施形態に係る人体収納用構造体（開扉状態）の側面図である。
【図６】本発明の第三実施形態に係る人体収納用構造体（開扉状態）の斜視図である。
【図７】本発明の第四実施形態に係る人体収納用構造体の斜視図（透視図）である。
【図８】本発明の第四実施形態に係る人体収納用構造体の上面図（透視図）である。
【発明を実施するための形態】
【００２０】
以下、図面を参照して、本発明の各実施形態について説明する。なお、以下の各実施形態はあくまでも好適な適用例であって、本発明の適用範囲がこれに限定されるものではない。
【００２１】
＜第一実施形態＞
まず、図１及び図２を用いて、本発明の第一実施形態に係る人体収納用構造体１の構成について説明する。本実施形態に係る人体収納用構造体１は、人体を収納する収納空間２を備えており、収納空間２に収納した人体を立位状態で支持するように構成されることにより、立位状態での休憩や睡眠を可能にするものである。本実施形態に係る人体収納用構造体１は、本発明における睡眠用筐体にも相当するものである。
【００２２】
本実施形態に係る人体収納用構造体１は、図１及び図２に示すように略直方体状を呈しており、第一支持部１０と、第二支持部２０と、第三支持部３０と、を備えている。人体収納用構造体１は、その収納空間２に人体を立位状態で収納した状態で、その長手方向が鉛直方向に沿って延在するように配置される。これにより、水平方向における占有スペースを格段に小さくすることが可能となる。
【００２３】
人体収納用構造体１の収納空間２は、図１及び図２に示すように、４枚の壁板（後方壁板３、前方壁板４、側方壁板５、６）と、底板７と、天板８と、によって囲まれた空間である。収納空間２の大きさは、収納する人体の大きさに対応させて適宜設定することができる。例えば、身長１６５〜１８０ｃｍの男性を収納することを想定した場合には、収納空間２の高さを２００ｃｍ程度に設定し、収納空間２の水平方向における占有スペースを５０ｃｍ×７０ｃｍ程度の矩形状に設定することができる。
【００２４】
第一支持部１０は、収納空間２に立位状態で収納された人体の重量の少なくとも一部を下方から支持するように人体の臀部を支持するものである。本実施形態においては、図１及び図２に示すように、後方壁板３から収納空間２へと突出する直方体状の突出部材を第一支持部１０として採用している。第一支持部１０の高さ（上面位置）は、収納する人体の大きさに対応させて適宜設定することができる。第一支持部１０は、人体の臀部の重量（体重の１／３程度）を支持することができるように、所要の剛性及び強度を有する材料（例えば木材、合成樹脂、金属等）で構成されて後方壁板３に取り付けられている。なお、本実施形態においては、第一支持部１０を後方壁板３の内面に固定した例を示したが、後方壁板３に対して上下移動可能に取り付けられた第一支持部を採用することもできる。このようにすると、異なる大きさ（身長）の人体に対応することが可能となる。
【００２５】
第二支持部２０は、収納空間２に立位状態で収納された人体の上半身の水平方向における移動を阻止するように上半身を支持するものである。本実施形態における第二支持部２０は、図１及び図２に示すように、人体の上半身前方部を支持する前方支持部２１と、人体の上半身後方部を支持する後方支持部としての後方壁板３と、人体の上半身側方部を支持する側方支持部としての側方壁板５、６と、を有している。本実施形態においては、前方壁板４から収納空間２へと突出する断面Ｅ字状の突出部材を前方支持部２１として採用している。前方支持部２１は、人体の上半身の重量（体重の１／３程度）を支持することができるように、所要の剛性及び強度を有する材料（例えば木材、合成樹脂、金属等）で構成されて前方壁板４に取り付けられている。なお、本実施形態においては、前方支持部２１を前方壁板４の内面に固定した例を示したが、前方壁板４に対して上下移動可能に取り付けられた前方支持部を採用することもできる。このようにすると、異なる大きさ（身長）の人体に対応することが可能となる。
【００２６】
第三支持部３０は、収納空間２に立位状態で収納された人体の膝部が前方に移動することを阻止するように膝部乃至脛部を支持するものである。本実施形態おいては、図１及び図２に示すように、前方壁板４から収納空間２へと突出する直方体状の突出部材を第三支持部３０として採用している。第三支持部３０の高さ（上面位置）は、収納する人体の大きさに対応させて適宜設定することができる。第三支持部３０は、人体の膝部乃至脛部の重量（体重の１／３程度）を支持することができるように、所要の剛性及び強度を有する材料（例えば木材、合成樹脂、金属等）で構成されて前方壁板４に取り付けられている。なお、本実施形態においては、第三支持部３０を前方壁板４の内面に固定した例を示したが、前方壁板４に対して上下移動可能に取り付けられた第三支持部を採用することもできる。このようにすると、異なる大きさ（身長）の人体に対応することが可能となる。
【００２７】
人体収納用構造体１を構成する４枚の壁板（後方壁板３、前方壁板４、側方壁板５、６）、底板７及び天板８は、人体収納用構造体１の直方体形状を維持することができるような剛性及び強度を有する材料（例えば木材、合成樹脂、金属等）で構成されており、外部から収納空間２へと入射する音や光を遮断して休憩や睡眠を促進する機能を果たす。後方壁板３及び側方壁板５、６は、既に述べたように、第二支持部２０の一部（後方支持部及び側方支持部）として機能するものである。なお、本実施形態においては、図示されていないヒンジ機構を介して側方壁板５が前方壁板４に対して開閉可能に取り付けられ、側方壁板５がヒンジ式の開閉扉として機能するようになっており、人間は、側方壁板５を介して収納空間２にアクセスすることができる。底板７は、収納空間２に立位状態で収納された人体の足裏を支持するものであり、本発明における第四支持部として機能する。天板８は、収納空間２に立位状態で収納された人体を支持するものではないため、省くことも可能である。
【００２８】
人体収納用構造体１を構成する４枚の壁板（後方壁板３、前方壁板４、側方壁板５、６）、底板７及び天板８における人体との接触面には、柔軟で肌触りのよい素材（例えば、ウレタンフォーム等）を貼り付けたり、汚れが付着したときに拭き取り易い素材（例えばビニールレザー等）を貼り付けたり、抗菌加工を施したりすることができる。また、収納空間２の内部に脱臭剤を設置することもできる。このようにすると、人間は、収納空間２内で快適に休憩や睡眠をとることができる。
【００２９】
人体収納用構造体１の収納空間２の内部には、目覚まし用の道具を設置することもできる。目覚まし用の道具としては、例えば、設定した時刻になると自動的に（例えば光、音、振動、特定の匂い、温度等を発生させることにより）人間に刺激を与えるものを採用することができる。このような目覚まし用の道具を設置することにより、人間は、設定した時刻に目覚めることができるという安心感を抱くことができ、快適に休憩や睡眠をとることができる。また、人体収納用構造体１の収納空間２の内部には、使用者の靴や（目覚まし用の）スマートフォンを収納する部位が設けられていると好適である。
【００３０】
人体収納用構造体１の外部には、使用中であること（収納空間２に人間が収納されていること）を明示する道具を設置することもできる。かかる道具としては、例えば、表面に「満室」の表示を施し、裏面に「空室」の表示を施した掛札等を採用することができる。掛札は、人体収納用構造体１を構成する４枚の壁板のうち、最も人の目につきやすい壁板（例えば開閉扉として機能する側方壁板５）に取り付けることができる。かかる道具を設置することにより、使用中の人間は、他者が収納空間２に入ることを抑制することができ、安心して休憩や睡眠をとることができる。
【００３１】
以上説明した実施形態に係る人体収納用構造体１においては、収納空間２に収納した人体の臀部と上半身と膝部とを支持して、人体の立位状態を維持することができる。従って、人間は、本構造体１の収納空間２内において立位状態で休息や睡眠をとることが可能となる。本構造体１は、このように立位状態で人体を支持することができることから、一般的な寝具のように横臥状態で人体を支持する構造と比較すると、水平方向における寸法を格段に縮小することが可能となる。
【００３２】
また、以上説明した実施形態に係る人体収納用構造体１においては、第二支持部２０が、後方支持部として機能する後方壁板３を有するため、収納空間２に収納された人体の上半身後方部（例えば背部や後頭部）を支持して立位状態を安定させることが可能となる。
【００３３】
また、以上説明した実施形態に係る人体収納用構造体１においては、第二支持部２０が、側方支持部として機能する側方壁部５、６を有するため、収納空間２に収納された人体の上半身側方部（例えば肩部や側頭部）を支持して立位状態を安定させることが可能となる。
【００３４】
また、以上説明した実施形態に係る人体収納用構造体１においては、第二支持部２０が、前方支持部２１を有するため、収納空間２に収納された人体の上半身前方部（例えば腕部や前頭部）を支持して立位状態を安定させることが可能となる。
【００３５】
また、以上説明した実施形態に係る人体収納用構造体１においては、第四支持部として機能する底板７を備えるため、収納空間２に収納された人体の足裏を支持して立位状態を安定させることが可能となる。
【００３６】
＜第二実施形態＞
次に、図３を用いて、本発明の第二実施形態に係る人体収納用構造体１Ａの構成について説明する。本実施形態に係る人体収納用構造体１Ａは、第一実施形態に係る人体収納用構造体１における第一支持部１０、前方支持部２１、第三支持部３０の構成を各々変更したものであり、その他の構成については第一実施形態と実質的に同一である。このため、異なる構成を主に説明し、共通する構成については同一の符号を付して詳細な説明を省略することとする。
【００３７】
本実施形態に係る人体収納用構造体１Ａは、図３に示すように略直方体状を呈しており、４枚の壁板（後方壁板３、前方壁板４、側方壁板５、６）と底板７と天板８とによって囲まれた収納空間２と、第一支持部１０Ａと、前方支持部２１Ａを含む第二支持部２０Ａと、第三支持部３０Ａと、を備えている。収納空間２を構成する４枚の壁板（後方壁板３、前方壁板４、側方壁板５、６）と底板７と天板８については、第一実施形態と実質的に同一であるため、詳細な説明を省略する。
【００３８】
第一支持部１０Ａは、第一実施形態と同様に、収納空間２に立位状態で収納された人体の臀部を支持するものである。本実施形態における第一支持部１０Ａは、図３に示すように、人体の臀部が乗る上面部１１Ａに傾斜がつけられている。この傾斜の角度は、人体の構造（人間がその上半身を前方支持部２１Ａに委ねたときに腰の曲がる角度等）を考慮して適宜設定することができる。第一支持部の上面部を水平にすると、人体の重量を支持できる割合はあがるものの、ほぼ座位に近くなってしまい膝部が前方に突出してしまうため、前後寸法がある程度必要になる。これに対し、図３に示すように第一支持部１０Ａの上面部１１Ａを傾斜させることにより、人体の重量を支持しつつ、より立位に近い姿勢を実現させることができ、前後寸法を小さくすることが可能となる。
【００３９】
第二支持部２０Ａは、第一実施形態と同様に、収納空間２に立位状態で収納された人体の上半身を支持するものである。本実施形態における第二支持部２０Ａは、図３に示すように、人体の上半身前方部を支持する前方支持部２１Ａと、人体の上半身後方部を支持する後方支持部としての後方壁板３と、人体の上半身側方部を支持する側方支持部としての側方壁板５、６と、を有している。本実施形態における前方支持部２１Ａは、図３に示すように、側方から見たときに断面が三角形状を呈する突出部材である。かかる形状の突出部材を採用すると、前方支持部２１Ａの下方空間を広くすることができ、人間は、より快適に休憩や睡眠をとることができる。
【００４０】
第三支持部３０Ａは、第一実施形態と同様に、収納空間２に立位状態で収納された人体の膝部を支持するものである。本実施形態おける第三支持部３０Ａは、図３に示すように、人体の膝部が乗る上面部３１Ａに傾斜がつけられている。この傾斜の角度は、人体の構造（人間がその上半身を前方支持部２１Ａに委ね、その臀部を第一支持部１０Ａに委ねたときに膝の曲がる角度等）を考慮して適宜設定することができる。図３に示すように第三支持部３０Ａの上面部３１Ａを傾斜させ、膝部を斜めに支持することにより、人体の重量の一部を支持することが可能である。すなわち、本実施形態においては、第一支持部１０Ａと第三支持部３０Ａと底板７（第四支持部）とによって人体の重量を支持している。これに対し、第一実施形態のように第三支持部３０を垂直面にしている場合は、第一支持部１０と底板７（第四支持部）とによって人体の重量を支持している。
【００４１】
以上説明した実施形態に係る人体収納用構造体１Ａによれば、第一実施形態に係る人体収納用構造体１と同様の作用効果を奏することができる。すなわち、収納空間２に収納した人体の臀部と上半身と膝部とを支持して、人体の立位状態を維持することができる。従って、人間は、本構造体１Ａの収納空間２内において立位状態で休息や睡眠をとることが可能となる。本構造体１Ａは、このように立位状態で人体を支持することができることから、一般的な寝具のように横臥状態で人体を支持する構造と比較すると、水平方向における寸法を格段に縮小することが可能となる。
【００４２】
＜第三実施形態＞
次に、図４〜図６を用いて、本発明の第三実施形態に係る人体収納用構造体１Ｂの構成について説明する。本実施形態に係る人体収納用構造体１Ｂは、第一実施形態に係る人体収納用構造体１全体を後方に傾斜させるとともに、前方支持部２１及び第三支持部３０を省いたものであり、その他の構成については第一実施形態と実質的に同一である。このため、異なる構成を主に説明し、共通する構成については同一の符号を付して詳細な説明を省略することとする。
【００４３】
本実施形態に係る人体収納用構造体１Ｂは、図４〜図６に示すように略直方体状を呈しており、４枚の壁板（後方壁板３Ｂ、前方壁板４Ｂ、側方壁板５Ｂ、６Ｂ）と底部７Ｂと天板８Ｂとによって囲まれた収納空間２Ｂと、第一支持部１０Ｂと、第二支持部２０Ｂと、を備えている。
【００４４】
収納空間２Ｂは、第一・第二実施形態と同様に直方体状を呈している。本実施形態においては、図４〜図６に示すように、収納空間２Ｂ全体が後方に傾斜している。すなわち、本実施形態に係る人体収納用構造体１Ｂにおいては、収納空間２Ｂを構成する後方壁板３Ｂ及び前方壁板４Ｂが鉛直方向に対して若干後方に傾斜しており、これらを繋ぐ天板８Ｂもまた水平方向に対して若干後方に傾斜している。そして、このように後方に傾斜した構造体を後方から支持するための支持部９Ｂが後方壁板３Ｂに取り付けられている。また、２枚の側方壁板５Ｂ、６Ｂは、後方壁板３Ｂ及び前方壁板４Ｂに平行な２辺と、人体収納用構造体１Ｂが設置される床面に平行な２辺と、を有する平行四辺形を呈するように構成されている。
【００４５】
本実施形態においては、図示されていないスライド機構を介して側方壁板５Ｂが後方壁板３Ｂ及び前方壁板４Ｂに対してスライド移動可能に取り付けられ、側方壁板５Ｂがスライド式の開閉扉として機能するようになっており、人間は、側方壁板５Ｂを介して収納空間２Ｂにアクセスすることができる。底部７Ｂは、収納空間２Ｂに立位状態で収納された人体の足裏を支持するものであり、本発明における第四支持部として機能する。本実施形態における底部７Ｂの前方部分７Ｂａは、後方部分７Ｂｂよりも若干高くかつ後方に傾斜している。このため、人体を前方部分７Ｂａに乗せて容易に後傾させることが可能となる。
【００４６】
本実施形態においては、図４に示すように、側方壁板５Ｂを閉じたときに、側方壁板５Ｂの上方（側方壁板５Ｂの上辺と天板８Ｂとの間）に若干の間隙Ｇが形成されており、この間隙Ｇを介して、収納空間２Ｂ内の空気を循環させることができるようになっている。
【００４７】
第一支持部１０Ｂは、第一・第二実施形態と同様に、収納空間２Ｂに立位状態で収納された人体の臀部を支持するものである。本実施形態における第一支持部１０Ｂは、図５及び図６に示すように、人体の臀部が乗る上面部１１Ｂに傾斜がつけられている。この傾斜の角度は、人体の構造（人間がその上半身を後方壁体３Ｂに委ねたときに腰の曲がる角度等）を考慮して適宜設定することができる。
【００４８】
第二支持部２０Ｂは、第一・第二実施形態と同様に、収納空間２Ｂに立位状態で収納された人体の上半身を支持するものである。本実施形態における第二支持部２０Ｂは、図５及び図６に示すように、人体の上半身後方部を支持する後方支持部としての後方壁板３Ｂと、人体の上半身側方部を支持する側方支持部としての側方壁板５Ｂ、６Ｂと、を有している。本実施形態においては、人体を後傾させて支持するため、第一・第二実施形態における前方支持部を採用していない。
【００４９】
本実施形態においては、人体を後傾させて支持するため、第一・第二実施形態における第三支持部を採用していない。但し、人間は、立位状態において前方壁板４Ｂの内面の下方領域に膝部を当接させることが可能であり、その意味において、前方領域４Ｂの内面の下方領域は第三支持部として機能することとなる。
【００５０】
以上説明した実施形態に係る人体収納用構造体１Ｂによれば、第一・第二実施形態に係る人体収納用構造体１と同様の作用効果を奏することができる。すなわち、収納空間２Ｂに収納した人体の臀部と上半身とを支持して、人体の立位状態を維持することができる。従って、人間は、本構造体１Ｂの収納空間２Ｂ内において立位状態で休息や睡眠をとることが可能となる。本構造体１Ｂは、このように立位状態で人体を支持することができることから、一般的な寝具のように横臥状態で人体を支持する構造と比較すると、水平方向における寸法を格段に縮小することが可能となる。
【００５１】
＜第四実施形態＞
次に、図７及び図８を用いて、本発明の第四実施形態に係る人体収納用構造体１Ｃの構成について説明する。本実施形態に係る人体収納用構造体１Ｃは、第一〜第三実施形態に係る人体収納用構造体１・１Ａ・１Ｂとは異なり、円筒状の収納空間を有するものである。
【００５２】
本実施形態に係る人体収納用構造体１Ｃは、図７に示すように略円筒状を呈しており、第一支持部１０Ｃと、第二支持部２０Ｃと、第三支持部３０Ｃと、を備えている。人体収納用構造体１Ｃは、その収納空間２Ｃに人体を立位状態で収納した状態で、その長手方向が鉛直方向に沿って延在するように配置される。これにより、水平方向における占有スペースを格段に小さくすることが可能となる。
【００５３】
人体収納用構造体１Ｃの収納空間２Ｃは、図７に示すように、円筒状壁板３Ｃと、底板７Ｃと、天板８Ｃと、によって囲まれた空間である。収納空間２Ｃの大きさは、第一〜第三実施形態と同様に、収納する人体の大きさに対応させて適宜設定することができる。
【００５４】
第一支持部１０Ｃは、収納空間２Ｃに立位状態で収納された人体の臀部を支持するものであり、第二支持部２０Ｃは、収納空間２Ｃに立位状態で収納された人体の上半身を支持するものであり、第三支持部３０Ｃは、収納空間２Ｃに立位状態で収納された人体の膝部を支持するものである。本実施形態においては、図７に示すように、第一支持部１０Ｃ、第二支持部２０Ｃ及び第三支持部３０Ｃとしていずれも、円筒状壁板３Ｃから収納空間２Ｃへと突出する円板状の突出部材を採用している。これら第一支持部１０Ｃ、第二支持部２０Ｃ及び第三支持部３０Ｃの高さ（上面位置）はいずれも、収納する人体の大きさに対応させて適宜設定することができる。また、第一支持部１０Ｃ、第二支持部２０Ｃ及び第三支持部３０Ｃを、円筒状壁板３Ｃに対して上下移動可能に取り付けることもできる。
【００５５】
人体収納用構造体１Ｃを構成する円筒状壁板３Ｃの一部分３Ｃａ（円周の約１／４の部分）は、図８に示すように、他の部分３Ｃｂから分離するように構成されており、かつ、他の部分３Ｃｂに対してヒンジ機構を介して開閉可能に取り付けられている。すなわち、円筒状壁板３Ｃの一部分３Ｃａは、ヒンジ式の開閉扉として機能するようになっており、人間はこの部分３Ｃａを介して収納空間２Ｃにアクセスすることができる。円筒状壁板３Ｃの内面の上方領域は、第二支持部２０Ｃと同様に、人体の上半身（例えば背部、後頭部、肩部、側頭部、腕部、前頭部）を支持することができ、第二支持部としても機能することができる。
【００５６】
以上説明した実施形態に係る人体収納用構造体１Ｃによれば、第一〜第三実施形態に係る人体収納用構造体１・１Ａ・１Ｂと同様の作用効果を奏することができる。すなわち、収納空間２Ｃに収納した人体の臀部と上半身と膝部とを支持して、人体の立位状態を維持することができる。従って、人間は、本構造体１Ｃの収納空間２Ｃ内において立位状態で休息や睡眠をとることが可能となる。本構造体１Ｃは、このように立位状態で人体を支持することができることから、一般的な寝具のように横臥状態で人体を支持する構造と比較すると、水平方向における寸法を格段に縮小することが可能となる。
【００５７】
なお、以上の各実施形態においては、平面又は曲面によって囲われた収納空間を採用した例を示したが、収納空間は必ずしも面によって囲われていなくてもよい。例えば、第一実施形態における４枚の壁板（後方壁板３、前方壁板４、側方壁板５、６）、底板７及び天板８を採用する代わりに、１２本の棒状部材で直方体状の枠体（フレーム）を構成し、この枠体の内部に、第一支持部１０と、前方支持部２１と、第三支持部３０と、に対応する部材を設けることにより、同様の機能を果たす人体収納用構造体を構成することもできる。かかる構成を採用する場合には、外部からの光や音を遮断するために、枠体の上方から布状部材をかけて覆うこともできる。
【００５８】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００５９】
１・１Ａ・１Ｂ・１Ｃ…人体収納用構造体（睡眠用筐体）
２・２Ａ・２Ｂ・２Ｃ…収納空間
３・３Ｂ…後方壁板（後方支持部）
５・５Ｂ…側方壁板（側方支持部）
６・６Ｂ…側方壁板（側方支持部）
７・７Ｃ…底板（第四支持部）
７Ｂ…底部（第四支持部）
１０・１０Ａ・１０Ｂ…第一支持部
２０・２０Ａ・２０Ｂ…第二支持部
２１・２１Ａ…前方支持部
３０・３０Ａ・３０Ｃ…第三支持部
【図１】
2020099444.tif 000003
【図２】
2020099444.tif 000004
【図３】
2020099444.tif 000005
【図４】
2020099444.tif 000006
【図５】
2020099444.tif 000007
【図６】
2020099444.tif 000008
【図７】
2020099444.tif 000009
【図８】
2020099444.tif 000010